(57)【要約】【課題】市販品のポータブルＡＶ機器に対して、緊急放送を配信する。【解決手段】緊急連絡等の外部データを受ける無線受信部と、ポータブルＡＶ機器からの視聴データ入力部と、視聴データと外部データとを切り替える切り替え処理部と、切り替えられた視聴データまたは、外部データをポータブルＡＶ機器に出力する音声出力部とから構成される。この構成により、ユーザが所有するポータブルＡＶ機器に容易に接続ができ、無線受信部受けた外部データと、視聴データ入力部からの視聴データとを切り替え処理部で切り替え、音声出力部より出力することによって、緊急連絡等の外部データの配信が可能となる。【選択図】図１
2005318049.tif 000002
【特許請求の範囲】
【請求項１】
割り込みコマンド等の外部データを受信するアンテナと無線データを受信し処理する無線受信部と、
ポータブルＡＶ機器からのオーディオやビデオの視聴データを入力する視聴データ入力部と、
前記視聴データと前記外部データとを切り替えて出力する切り替え処理部と、
前記切り替え処理部より出力される視聴データ、または外部データを出力する音声出力部と、
を備えたことを特徴とする通信装置。
【請求項２】
前記無線受信部は、
送信サーバからのデータを受信するデータ受信部と、
受信したデータのコマンドの優先度を確認し比較するコマンド優先確認処理部と、
優先度が低い場合にデータを蓄積しておくデータバッファ部と、
優先度が高かった場合に、切り替え命令とデータを送信する切り替え命令処理部と、
前記ポータブルＡＶ機器の出力データが終った場合、前記データバッファ部から蓄積していたデータを読み出すコマンドを送信するコマンド送信処理部と、
を具備することを特徴とする請求項１に記載の通信装置。
【請求項３】
前記切り替え処理部は、
送信サーバからのデータを受信する外部データ受信部と、
前記ポータブルＡＶ機器の出力を接続する視聴データ受信部と、
前記ポータブルＡＶ機器からの視聴データと前記送信サーバからのデータとを切り替えて出力するデータ切り替え処理部と、
前記データ切り替え処理部の出力をヘッドフォン、または表示装置へ接続するデータ出力部と、
を具備することを特徴とする請求項１に記載の通信装置。
【請求項４】
前記切り替え処理部は、
送信サーバからのデータを受信し、切り替え命令と外部データを受信する外部データ受信部と、
前記ポータブルＡＶ機器の出力を接続する視聴データ受信部と、
前記外部データと前記視聴データの切り替えと視聴データの蓄積命令を発行するデータ切り替え処理部と、
前記切り替え処理部の視聴データ蓄積命令に従って、視聴データを蓄積する視聴データバッファ部と、
前記データ切り替え処理部の出力をヘッドフォン、または表示装置へ接続するデータ出力部と、
を具備することを特徴とする請求項１に記載の通信装置。
【請求項５】
電源供給手段をさらに備え、
電源供給手段は、
外部の電源を入力する電源入力部と、
前記ポータブルＡＶ機器の電源仕様に合わせる電圧・電流セレクタ部と、
前記電圧・電流セレクタ部の設定値に従って電源を変換する電源変換部と、
前記ポータブルＡＶ機器からの視聴データ入力の有無より、電源を出力するか否かを判断し、入力がある場合に外部に電源を出力する電源出力部と、
を具備することを特徴とする請求項１に記載の通信装置。
【請求項６】
前記コマンド優先確認処理部は、
優先度に関するテーブルを内部に保持し、そのテーブルに従って優先度が高いか低いかを判断し、優先度が低い場合にはデータを蓄積する命令を発行することを特徴とする請求項２に記載の通信装置。
【請求項７】
エンターテイメント環境と緊急連絡等の外部データを送信する機器である送信サーバと、
ＡＶデータを視聴するポータブルＡＶ機器と、
前記ポータブルＡＶ機器に接続し視聴データと、前記送信サーバの信号を受信判別して緊急連絡等の外部データとを切り替える通信装置と、
から構成されることを特徴とする通信システム。
【請求項８】
電源供給部と、
前記通信装置は、
前記ポータブルＡＶ機器からの視聴データ入力の有無を判別し、入力がある場合には前記電源供給部からの電源を前記ポータブルＡＶ機器に出力する機能と、
をさらに備えたことを特徴とする請求項６に記載の通信システム。
【発明の詳細な説明】
【技術分野】
【０００１】
本発明は、航空機内等においてユーザが市販品のＡＶ機器を使用している場合においても、緊急連絡や特定のサービスを受けることを可能とする通信装置に関するものである。
【背景技術】
【０００２】
近年、ポータブルＡＶ機器の普及により、乗り物内や徒歩中などの移動中でも、ラジオ放送や音楽などを聞くだけでなく、ＴＶやＤＶＤなどのＡＶ観賞ができるようになってきた。
【０００３】
しかし、このようなポータブルＡＶ機器を利用していると、外部からの情報から遮断されるため、誰かに声を掛けられても気が付かなかったり、緊急放送を聞き逃したりする恐れがあった。
【０００４】
なお、飛行機内や新幹線内など、特定の場所に設置された専用ＡＶ機器には、緊急放送を含む案内放送が割り込まれるように予め設定されており、ユーザは、その専用ＡＶ機器で音楽やラジオ放送を聞いている場合、案内放送を聞き逃すことがない。しかしながら、このような割り込みが可能とされているのは、乗り物内に予め用意されている専用ＡＶ機器（ヘッドホンステレオ）に限られており、一般のユーザが所有する市販品のヘッドホンステレオを利用している場合に、このような機能を実現することはできなかった。
【０００５】
このような状況に鑑みて、任意の場所で、ヘッドホンステレオで音楽やラジオ放送を聞いていたとしても、簡単に、より広範囲で、外部からの音声を割り込ませることができるようにする従来例として、例えば特許文献１がある。
【０００６】
特許文献１の情報再生装置は、通信装置との間で接続の手続きを行う接続手段と、接続手段による手続きの結果に基づいて、通信装置から送信されるデータを受信する受信手段と、接続手段による手続きの結果に基づいて、接続の受け入れを通知するための通知情報を通信装置に送信する送信手段と、送信手段により通知情報の送信が完了したとき、出力を、記録媒体より再生されるデータから、受信手段により受信されたデータに切り替える切り替え手段とを備えることを特徴としたものである。
【特許文献１】特開２００１−１９７０１９号公報
【発明の開示】
【発明が解決しようとする課題】
【０００７】
しかしながら、特許文献１の発明では、ユーザが所有する全てのポータブルＡＶ機器に、視聴データと外部データを切り替える処理部を追加する必要があり、外部データとの切り替えが必要のないユーザにとっては機器の価格が高くなる。また、視聴データと外部データを切り替える処理部を一部の機器に搭載した場合、専用機器となるため機器の単価上昇が避けられず、ユーザから敬遠される可能性が高く機器の普及が妨げられる問題点を有していた。
【０００８】
さらに特許文献１の発明では、通信ユニット（外部データ送信機）からの割り込みが発生した場合に、必ず視聴データと外部データを切り替える為、ユーザが必要としない情報よって視聴を妨げられる問題を有していた。
【０００９】
さらに特許文献１の発明では、通信ユニット（外部データ送信機）からの割り込みが発生した場合に、必ず視聴データと外部データを切り替える為、視聴データが欠落する問題を有していた。
【課題を解決するための手段】
【００１０】
上記課題を解決するために、本発明の請求項１に記載の通信装置は、割り込みコマンド等の外部データを受信するアンテナと無線データを受信し処理する無線受信部と、ポータブルＡＶ機器からのオーディオやビデオの視聴データを入力する視聴データ入力部と、前記視聴データと前記外部データとを切り替えて出力する切り替え処理部と、前記切り替え処理部より出力される視聴データ、または外部データを出力する音声出力部と、を備えたことを特徴とするものである。
【００１１】
この構成により、ユーザが所有するポータブルＡＶ機器に容易に接続ができ、無線受信部が受けた外部データと、視聴データ入力部からの視聴データとを切り替え処理部で切り替え、音声出力部より出力することによって、緊急連絡等の外部データの配信が可能となる。
【００１２】
また、本発明の請求項２に記載の通信装置は、請求項１に記載の通信装置において、前記無線受信部は、送信サーバからのデータを受信するデータ受信部と、受信したデータのコマンドの優先度を確認し比較するコマンド優先確認処理部と、優先度が低い場合にデータを蓄積しておくデータバッファ部と、優先度が高かった場合に、切り替え命令とデータを送信する切り替え命令処理部と、前記ポータブルＡＶ機器の出力データが終った場合、前記データバッファ部から蓄積していたデータを読み出すコマンドを送信するコマンド送信処理部と、を具備することを特徴とするものである。
【００１３】
この構成により、優先度が低い外部データによって、ユーザが視聴データを遮断されることを防ぐことが可能となる。さらに、優先度が低い外部データはバッファしている為、視聴データが終った際には、聞くことが可能となる。
【００１４】
また、本発明の請求項７に記載の通信システムは、エンターテイメント環境と緊急連絡等の外部データを送信する機器である送信サーバと、ＡＶデータを視聴するポータブルＡＶ機器と、前記ポータブルＡＶ機器に接続し視聴データと、前記送信サーバの信号を受信判別して緊急連絡等の外部データとを切り替える通信装置と、から構成されることを特徴とするものである。
【００１５】
この構成により、ユーザが所有するポータブルＡＶ機器に容易に接続ができ、通信装置が受けた外部データと、ポータブルＡＶ機器からの視聴データとを優先度により切り替え、視聴することによって、緊急連絡等の外部データの配信が可能となる。
【発明の効果】
【００１６】
以上のように、本発明の通信装置および通信システムによれば、市販のＡＶ機器に通信アダプタを接続することで視聴データと外部データを切り替える仕組みを実現することが可能となる。
【００１７】
また、外部データに優先度をつけることによって、ユーザにとって必要な情報のみ、視聴データと外部データを切り替える仕組みを実現することが可能となる。
【００１８】
さらに、外部データに優先度をつけることによって、視聴データの区切りや終了時にバッファリングしていた外部データと視聴データを切り替える仕組みを実現することが可能となる。
【発明を実施するための最良の形態】
【００１９】
以下、本発明の実施の形態を、図面を参照しながら説明する。
【００２０】
（実施の形態１）
図１は本発明における通信装置と通信システムの構成図である。
【００２１】
図１において、１００はポータブルＡＶ機器であり、本実施の形態においてはオーディオやビデオなどの視聴データを再生する市販製品の例とする。１０１は通信装置（以下、通信アダプタと称す。）であり、本実施の形態においてポータブルＡＶ機器に接続し視聴データと緊急連絡等の外部データとを切り替える機器とする。１０２はポータブルＡＶ機器でオーディオやビデオを視聴している人であり、本実施の形態においては航空機内の乗客とする。１０３は航空機内の乗客にＡＶサービスやゲームなどのエンターテイメント環境と緊急連絡等の外部データを送信する機器であり、送信サーバとする。１０４は緊急放送等のアナウンスを行う人であり、本実施の形態においては航空機内の乗務員とする。
【００２２】
図１に従って、本発明の通信アダプタと通信システムの説明を行う。
【００２３】
通常、乗客１０２は、ポータブルＡＶ機器１００を用いてオーディオやビデオを再生しＡＶの視聴を楽しんでいる。しかし、フライト中には気流の関係で機体が大きく揺らいだりする危険がある場合、乗務員１０４は、座席への着席やシートベルトの装着を促すアナウンスを行うため、緊急連絡として送信サーバ１０３にマイクの電源やＳＷなどにより割り込みコマンドを送信し、アナウンスを開始する。割り込みコマンドとアナウンスを受けた送信サーバ１０３は、直ちに割り込みコマンドとアナウンスを通信アダプタ１０１に送信する。割り込みコマンドとアナウンスを受信した通信アダプタ１０１は、割り込みコマンドの優先度に従って、乗客が視聴しているオーディオやビデオの視聴データを乗務員のアナウンスである緊急連絡等の外部データに切り替えて、乗客のヘッドフォンに出力する。
【００２４】
以上説明したように、市販品のポータブルＡＶ機器に通信アダプタを接続し、緊急連絡の際に乗務員が割り込みコマンドを発行し、視聴データと外部データを切り替えることにより、市販品のポータブルＡＶ機器を使用している乗客に対して緊急連絡の配信の実現可能となる。
【００２５】
図２は本発明における通信アダプタ１０１の構成図である。図２において、２００はポータブルＡＶ機器からのオーディオやビデオの視聴データを入力するＩＦ（ステレオミニジャック）を視聴データ入力部とする。２０１は送信サーバからの割り込みコマンド等の外部データを受信するアンテナと無線データを受信し処理する無線受信部とする。２０２は視聴データと外部データとを切り替えて出力する切り替え処理部とする。２０３は切り替え処理部より出力される視聴データ、または外部データを乗客が装着しているヘッドフォンに出力するＩＦ（ステレオミニジャック）を音声出力部とする。
【００２６】
図２に従って、本発明の通信アダプタの説明を行う。
【００２７】
通常、乗客１０２は、視聴データ入力部２００より入力されるポータブルＡＶ機器からのオーディオやビデオの視聴データを視聴している。この場合のデータの流れを示す。
【００２８】
ポータブルＡＶ機器１００から視聴データ入力部２００に入力された視聴データは、直ちに切り替え処理部２０２に送信される。切り替え処理部２０２では、視聴データ入力部２００からのデータを受信し、緊急連絡等の割り込みコマンドが無いことを確認した後に、視聴データを直ちに、音声出力部２０３に送信する。視聴データを受信した音声出力部２０３では、直ちに視聴データを乗客１０２のヘッドフォンに出力する。
【００２９】
次に割り込みコマンドが発生した場合のデータの流れを示す。
【００３０】
ポータブルＡＶ機器１００から視聴データ入力部２００に入力された視聴データは、直ちに切り替え処理部２０２に送信される。一方、無線受信部２０１では、送信サーバ１０３からの割り込みコマンド等の外部データを受信した場合、直ちに切り替え処理部２０２に切り替え命令とデータ（アナウンス）を送信する。切り替え処理部２０２では、無線受信部２０１からの切り替え命令に従って、視聴データ入力部２００からの視聴データと無線受信部２０１からのアナウンスとを切り替えて、アナウンスを音声出力部２０３に送信する。アナウンスを受信した音声出力部２０３では、直ちに視聴データを乗客１０２のヘッドフォンに出力する。
【００３１】
次に無線受信部２０１の動作について詳細な説明を行う。
【００３２】
図３は本発明における無線受信部２０１の構成図である。また図４は、内部に保持している優先度のテーブルである。図３において、３００は送信サーバ１０３からの割り込みコマンド等の外部データを受信するアンテナと無線データを受信するデータ受信部とする。３０１は外部データの割り込みコマンドの優先度を確認するコマンド優先確認処理部とする。３０２はコマンド優先確認処理部で、割り込み優先度が低いと判断された場合に、外部データをバッファしておくデータバッファとする。３０３はコマンド優先確認処理部において、優先度が高いと判断された場合に切り替え処理部２０２に切り替え命令を送信する切り替え命令処理部とする。３０４は切り替え処理部２０２より視聴データが終った場合に、送信されるデータ終了フラグを受信し、コマンド優先確認処理部３０１を経由し、切り替え命令処理部３０３に対し切り替え命令とデータバッファから蓄積していた外部データを出力するコマンド送信処理部とする。
【００３３】
図３に従って、本発明の無線受信部において割り込みコマンドが発生した場合のデータの流れについて説明を行う。
【００３４】
送信サーバ１０３からの割り込みコマンド等の外部データを受信したデータ受信部３００は、直ちに、受信した外部データをコマンド優先確認処理部３０１に送信する。
【００３５】
外部データを受信したコマンド優先確認処理部３０１は、外部データをコマンドとデータ（アナウンス）と分離させ、内部に保持しているテーブル（図４）を参照し、予め設定していた優先度のレベル（本実施例では、仮に優先度を１と設定）に従って、コマンドの優先度レベルが予め設定していたレベル以上（優先度１）の場合は、直ちに切り替え命令処理部３０３に切り替え命令発信のコマンドとデータを送信する。切り替え命令発信のコマンドとデータを受信した切り替え命令処理部３０３は、直ちに、受信した切り替え命令とデータを切り替え処理部２０２に送信する。
【００３６】
一方、コマンド優先確認処理部３０１において、受信したコマンドが、内部に保持しているテーブル（図４）を参照した際に、コマンドの優先度レベルが予め設定していたレベル以上では無い場合（例えば優先度３）、直ちにデータバッファ３０２に外部データ内のデータの書き込み処理を行う。また、コマンド優先確認処理部３０１において、コマンド送信処理部３０４より切り替え命令とデータバッファから蓄積していた外部データを出力するコマンドを受けた場合に、データバッファ３０２からデータを読み出し、切り替え処理部２０２から切り替え命令とバッファより読み出したデータを切り替え処理部２０２に送信する
次に切り替え処理部２０２の動作について詳細な説明を行う。
【００３７】
図５は本発明における切り替え処理部２０２の構成図である。図５において、５００はポータブルＡＶ機器１００からのオーディオやビデオといった視聴データを受信する視聴データ受信部とする。５０１は無線受信部からの切り替え命令とデータを受信する外部データ受信部とする。５０２は外部データ受信部からの切り替え命令を受信した場合に、視聴データと切り替えて出力するデータ切り替え処理部とする。５０３は外部データ受信部からの切り替え命令でデータを切り替えた場合に、入力されていた視聴データを蓄積しておく視聴データバッファとする。５０４はデータ切り替え処理部２０２からのデータを受信し、音声出力部に出力するデータ出力部とする。
【００３８】
図５に従って、本発明の切り替え処理部において切り替え命令が発生していない場合のデータの流れについて説明を行う。
【００３９】
ポータブルＡＶ機器１００からのオーディオやビデオといった視聴データを受信した視聴データ受信部５００は、直ちに視聴データをデータ切り替え処理部５０２に送信する。
【００４０】
視聴データを受信したデータ切り替え処理部５０２は、直ちに視聴データをデータ出力部５０４に送信する。視聴データを受信したデータ出力部５０４は、直ちに視聴データを乗客のヘッドフォンに出力する音声出力部２０３に送信する。
【００４１】
視聴データを受信した音声出力部２０３は、直ちに視聴データを乗客のヘッドフォンに出力に送信する。
【００４２】
一方、図５に従って、本発明の切り替え処理部において切り替え命令が発生した場合のデータの流れについて説明を行う。
【００４３】
ポータブルＡＶ機器１００からのオーディオやビデオといった視聴データを受信した視聴データ受信部５００は、直ちに視聴データをデータ切り替え処理部５０２に送信する。
【００４４】
また、ポータブルＡＶ機器１００からのオーディオやビデオといった視聴データの入力が終った場合（例えばブランク信号や一定時間ブランクが続いた場合）、視聴データ受信部５００は、無線受信部２０１のデータバッファ３０２のデータ読み出すために、データ終了フラグを無線受信部２０１のコマンド送信処理部３０４に送信する。データバッファ３０２にデータがあった場合、無線受信部２０１より切り替え命令とデータが送信される。その後の処理は以下と同様である。
【００４５】
一方、無線受信部２０１から切り替え命令とデータを受信した外部データ受信部５０１は、直ちに切り替え命令と緊急連絡等のデータをデータ切り替え処理部５０２に送信する。
【００４６】
視聴データ受信部５００から視聴データを、更に無線受信部２０１から切り替え命令と緊急連絡等のデータを受信したデータ切り替え処理部５０２は、直ちに緊急連絡等の外部データをデータ出力部５０４に送信する。さらにデータ切り替え処理部５０２では、同時に視聴データ受信部５００より受信した視聴データを蓄積するために、視聴データバッファ５０３に視聴データの書き込みを行い、無線受信部２０１からのデータ出力完了後、視聴データバッファ５０３から視聴データの読み出しを行い、読み出した視聴データをデータ出力部５０４に送信する。各データを受信したデータ出力部５０４は、直ちに視聴データ、またはデータを乗客のヘッドフォンに出力する音声出力部２０３に送信する。
【００４７】
このように一度でも切り替え命令が発生した場合は、視聴データバッファ５０３を経由してデータ出力部５０４にデータが送信される。
【００４８】
以上説明したように、市販品のポータブルＡＶ機器に通信アダプタを接続し、緊急連絡の際に乗務員が割り込みコマンドを発行し、視聴データと外部データを切り替えることにより、市販品のポータブルＡＶ機器を使用している乗客に対して緊急連絡の配信の実現可能となる。
【００４９】
また、外部データに優先度をつけることによって、ユーザにとって必要な情報のみ、視聴データと外部データを切り替える仕組みを実現することが可能となる。
【００５０】
さらに、外部データに優先度をつけることによって、視聴データの区切りや終了時にバッファリングしていた外部データと視聴データを切り替える仕組みを実現することが可能となる。
【００５１】
なお、本実施の形態ではデータ切り替え命令と乗務員の緊急連絡を無線経由で受信していたが、無線経由に限定するものではなく、有線経由で同等のコマンドを受信した場合でも同様の効果が期待できる。
【００５２】
また、本実施の形態では優先度のテーブルにおける優先度レベル設定を予め行う説明を行っているが、予め設定するのは航空機会社に限定するものではなく、乗客が欲しい情報（優先度１は必須）に応じて優先度レベルの設定ができる仕組みを実装した場合でも同様の効果が期待できる。
【００５３】
また、本実施の形態では優先度のテーブルにおける優先度レベル設定を行う説明を行っているが、優先度を必ずつける必要は無く、全ての外部データを必ず切り替える仕組みを実装した場合でも同様の効果が期待できる。
【００５４】
また、本実施の形態では視聴データをオーディオデータとして説明を行っているが、オーディオに限定するものではなく、データの出力先をヘッドフォン、またはポータブルＡＶ機器にすることで視聴データがビデオの場合でも同様の効果が期待できる。
【００５５】
また、本実施の形態では一例として航空機内での使用方法について説明を行っているが、航空機内に限定するものではなく、ＬＬ教室のような室内、または野球やサッカー、競馬場の限定された室外の場合でも同様の効果が期待できる。
【００５６】
また、本実施の形態では一例としてオーディオやビデオといった視聴データと緊急放送等のアナウンス情報とのデータ出力切り替えの方法について説明を行っているが、緊急放送等のアナウンス情報に限定するものではなく、機内エンターテイメントサービスとしてのオーディオやビデオ、ゲームとった様々なデータの場合でも同様の効果が期待でき、この発明を用いることによって、ユーザやレンタル業者の所有するポータブルＡＶ機器を使用した機内エンターテイメントサービスが可能となる。
【００５７】
また、本実施の形態では一例として緊急連絡の受信方法として無線方式について説明を行っているが、無線方式に限定するものではなく、有線方式の場合でも同様の効果が期待できる。
【００５８】
また、本実施の形態では本発明の機能を通信アダプタとして説明を行っているが、本発明の機能の実装場所は限定するものではなく、ヘッドフォンやシートの肘掛などに本発明の機能を実装した場合でも同様の効果が期待できる。
【００５９】
（実施の形態２）
図６は本発明における通信装置と通信システムの構成図である。
【００６０】
図６において、１００はポータブルＡＶ機器であり、本実施の形態においてはオーディオやビデオなどの視聴データを再生する市販製品の例とする。１０１は通信装置（以下、通信アダプタと称す。）であり、本実施の形態においてポータブルＡＶ機器に接続し視聴データと緊急連絡等の外部データとを切り替える機器とする。１０２はポータブルＡＶ機器でオーディオやビデオを視聴している人であり、本実施の形態においては航空機内の乗客とする。１０３は航空機内の乗客にＡＶサービスやゲームなどのエンターテイメント環境と緊急連絡等の外部データを送信する機器であり、送信サーバとする。１０４は緊急放送等のアナウンスを行う人であり、本実施の形態においては航空機内の乗務員とする。６００は市販のポータブルＡＶ機器に、電源を供給する機器であり、本実施の形態においては電源供給部とする。
【００６１】
図６に従って、本発明の通信アダプタと通信システムの説明を行う。
【００６２】
通常、乗客１０２は、ポータブルＡＶ機器１００を用いてオーディオやビデオを再生しＡＶの視聴を楽しんでいる。しかし、フライト中には気流の関係で機体が大きく揺らいだりする危険がある場合、乗務員１０４は、座席への着席やシートベルトの装着を促すアナウンスを行うため、緊急連絡として送信サーバ１０３にマイクの電源やＳＷなどにより割り込みコマンドを送信し、アナウンスを開始する。割り込みコマンドとアナウンスを受けた送信サーバ１０３は、直ちに割り込みコマンドとアナウンスを通信アダプタ１０１に送信する。割り込みコマンドとアナウンスを受信した通信アダプタ１０１は、割り込みコマンドの優先度に従って、乗客が視聴しているオーディオやビデオの視聴データを乗務員のアナウンスである緊急連絡等の外部データに切り替えて、乗客のヘッドフォンに出力する。
【００６３】
また、ポータブルＡＶ機器１００は通常バッテリー起動で動作しているため、フライト時間が長時間の場合、バッテリーの蓄積電源が消費されてくる。そこで機内サービスとして、機内において電源を供給する電源供給部６００より電源を供給する。
【００６４】
以上説明したように、市販品のポータブルＡＶ機器に通信アダプタを接続し、緊急連絡の際に乗務員が割り込みコマンドを発行し、視聴データと外部データを切り替えることにより、市販品のポータブルＡＶ機器を使用している乗客に対して緊急連絡の配信の実現可能となる。
【００６５】
さらに、電源供給部６００より、電源を供給することにより、ユーザはバッテリーの電源の残量を気にする必要がなくなる。
【００６６】
図７は本発明における通信アダプタの構成図である。図７において、２００はポータブルＡＶ機器からのオーディオやビデオの視聴データを入力するＩＦ（ステレオミニジャック）を視聴データ入力部とする。２０１は送信サーバからの割り込みコマンド等の外部データを受信するアンテナと無線データを受信し処理する無線受信部とする。２０２は視聴データと外部データとを切り替えて出力する切り替え処理部とする。２０３は切り替え処理部より出力される視聴データ、または外部データを乗客が装着しているヘッドフォンに出力するＩＦ（ステレオミニジャック）を音声出力部とする。
【００６７】
７００はユーザが使用しているポータブルＡＶ機器の電源仕様に応じて、ユーザが設定した電圧（Ｖ）と電流（Ａ）、またはポータブルＡＶ機器の仕様を保有するメモリ経由やポータブルＡＶ機器と通信アダプタが通信することで獲得した電圧（Ｖ）と電流（Ａ）の設定値によって供給電源の設定値を切り替えて出力する電圧・電流セレクタ部とする。
【００６８】
７０１は電源供給部６００からの電源の入力ＩＦであり電源入力部とする。７０２は電源入力部からの電源を電圧・電流セレクタ部の設定値に従って電圧と電流を変換する電源変換部とする。７０３は電源変換部からの電源をポータブルＡＶ機器に出力するか否かに従って電源を出力する電源出力部とする。
【００６９】
図７に従って、本発明の通信アダプタの説明を行う。
【００７０】
視聴データと外部データとの切り替え処理手順については、実施の形態１に示したとおりである。ここでは、電源供給処理の動作の流れについて説明を行う。
【００７１】
電源入力部７０１は、電源供給部６００から電源供給を受ける。また、電圧・電流セレクタ部７００では、ユーザがＳＷなどのセレクタ手段により、ユーザが所有（または使用）しているポータブルＡＶ機器の電源仕様、またはポータブルＡＶ機器の仕様を保有するメモリ経由やポータブルＡＶ機器と通信アダプタが通信することで獲得した電源仕様の設定値に従って、設定した電圧値（Ｖ）と電流値（Ａ）を電源変換部７０２に送信する。
【００７２】
電源変換部７０２は、電源入力部７０１から送電されてくる電源を受電する一方で、電圧・電流セレクタ部７００より送信されてきた電圧値（Ｖ）と電流値（Ａ）を受信する。そして電源変換部７０２において、電圧・電流セレクタ部７００より送信されてきた電圧値（Ｖ）と電流値（Ａ）の設定値に従って、電源入力部７０１から送電されてくる電源を変換し、電源出力部７０３に送電する。
【００７３】
また視聴データ入力部２００において、ポータブルＡＶ機器のＡＶ出力（ケーブル経由）のステレオミニジャックへの入力の有無を検知して、入力の有無（ステレオミニジャック有無情報）を電源出力部７０３へ送信する。
【００７４】
電源出力部７０３において、視聴データ入力部２００からのステレオミニジャック有無情報が、ステレオミニジャック入力ありの場合、直ちに電源変換部７０２から受電した電源をポータブルＡＶ機器の電源入力部に出力する。一方視聴データ入力部２００からのステレオミニジャック有無情報が、ステレオミニジャック入力なしの場合、電源変換部７０２から受電した電源をポータブルＡＶ機器の電源入力部に出力しない。
【００７５】
以上説明したように、市販品のポータブルＡＶ機器に通信アダプタを接続し、緊急連絡の際に乗務員が割り込みコマンドを発行し、視聴データと外部データを切り替えることにより、市販品のポータブルＡＶ機器を使用している乗客に対して緊急連絡の配信の実現可能となる。
【００７６】
さらにステレオミニジャックへの入力の有無に従って、ポータブルＡＶ機器に電源供給をすることによって、通信アダプタの使用を促進し、乗客が緊急放送を視聴する機会を促進することが可能となる。
【００７７】
なお、本実施の形態では電源・電圧の設定をユーザが行うと説明しているが、設定者をユーザに限定するではなく、レンタル機器や搭乗地（個人情報）に従って、予め第３者が設定、または自動設定した場合でも同様の効果が期待できる。
【００７８】
また、本実施の形態では電源供給するか否かの判断をステレオミニジャックへの入力の有無で説明しているが、ステレオミニジャックへの入力の有無に限定しているものではなく、視聴データの入力があるか否かで判断した場合でも同様の効果が期待できる。
【００７９】
また、本実施の形態では電源供給するか否かの判断をステレオミニジャックへの入力の有無で説明しているが、予め搭乗クラスやサービスに応じて判断した場合も同様の効果が期待できる。
【産業上の利用可能性】
【００８０】
本発明にかかる通信装置および通信システムは、市販品のＡＶ機器に容易に接続ができ、視聴データと外部データを切り替えることが実現可能となるので、例えば航空機等で緊急放送を配信するシステム等に有用である。
【図面の簡単な説明】
【００８１】
【図１】第１の発明の通信装置および通信システムの構成図
【図２】第１の発明の通信装置の構成図
【図３】第１の発明の通信装置における無線受信部の構成図
【図４】第１の発明のコマンド優先度の一例を示す図
【図５】第１の発明の通信装置における切り替え処理部の構成図
【図６】第２の発明の通信装置および通信システムの構成図
【図７】第２の発明の通信装置の構成図
【符号の説明】
【００８２】
１００  ポータブルＡＶ機器
１０１  通信装置
１０２  乗客（視聴者）
１０３  送信サーバ
１０４  乗務員
２００  視聴データ入力部（ヘッドフォンＩＦ部）
２０１  無線受信部
２０２  切り替え処理部
２０３  音声出力部（ヘッドフォンＩＦ部）
３００  データ受信部
３０１  コマンド優先確認処理部
３０２  データバッファ
３０３  切り替え命令処理部
５００  視聴データ受信部
５０１  外部データ受信部
５０２  データ切り替え処理部
５０３  視聴データバッファ
５０４  データ出力部
６００  電源供給部
７００  電圧・電流セレクタ部
７０１  電源入力部
７０２  電源変換部
７０３  電源出力部（ＯＮ／ＯＦＦ）
【図１】
2005318049.tif 000003
【図２】
2005318049.tif 000004
【図３】
2005318049.tif 000005
【図４】
2005318049.tif 000006
【図５】
2005318049.tif 000007
【図６】
2005318049.tif 000008
【図７】
2005318049.tif 000009